(57)【要約】【課題】  移植片の損傷や患者への負担を抑制しつつ大きな移植片を好適に移植できる眼科用手術器具を提供すること。【解決手段】  術者が保持するハンドピースと、移植片を所定の流体と共に吸引・排出するノズルユニットであって，該ノズルユニットの先端に配置され流路の内形状が基端側に向かって移植片が徐々に丸められる形状を有するガイド部と、該ガイド部の基部に接続され前記ガイド部により丸められた移植片を収納するための内径を有する収納部と、を備えるノズルユニットと、該ノズルユニットに、吸引圧及び排出圧を付加する吸引排出ユニットと、を備え、前記ガイド部は前記収納部との接続位置から退避可能であること。【選択図】      図４
2013180004.tif 000002
【特許請求の範囲】
【請求項１】
術者が保持するハンドピースと、
移植片を所定の流体と共に吸引・排出するノズルユニットであって，該ノズルユニットの先端に配置され流路の内形状が基端側に向かって移植片が徐々に丸められる形状を有するガイド部と、該ガイド部の基部に接続され前記ガイド部により丸められた移植片を収納するための内径を有する収納部と、を備えるノズルユニットと、
該ノズルユニットに、吸引圧及び排出圧を付加する吸引排出ユニットと、
を備え、前記ガイド部は前記収納部との接続位置から退避可能であることを特徴とする手術器具。
【請求項２】
請求項１に記載の手術器具において、
前記収納部は先端から基端側に向けて細長いパイプ状の形状を持つことを特徴とする手術器具。
【請求項３】
請求項２に記載の手術器具は、
前記ガイド部を前記収納部に対して軸方向に相対的にスライド移動させる退避ユニットを持つことを特徴とする手術器具。
【請求項４】
請求項３に記載の手術器具において、
前記退避ユニットは、
前記収納部の外側に配置される中空の筒状ガイド部材と、
該筒状ガイド部材を前記収納部が延びる方向に沿ってスライドさせるスライド機構と、
を備え、前記ガイド部は、前記筒状ガイド部材内に収納される程度の柔軟性を備える、
ことを特徴とする手術器具。
【請求項５】
請求項２に記載の手術器具において、前記ガイド部は前記収納部の先端に着脱可能であることを特徴とする手術器具。
【請求項６】
請求項２〜５に記載の何れかの手術器具において、
前記収納部の流路の断面形状が、弓なり形状となっている、
ことを特徴とする手術器具。
【請求項７】
請求項６に記載の手術器具において、前記収納部の断面形状は、扁平形状の両端が近接するようＣ型に丸めた弓なり形状とされる、ことを特徴とする手術器具。
【請求項８】
請求項２に記載の手術器具において、
前記収納部は、
中空の筒部と、
該筒部内の流路を制限するために、前記筒部の中心軸に沿って配置される棒状部材と、
を備える、ことを特徴とする手術器具。
【請求項９】
吸引排出ユニットを備える手術器具に取り付けられて移植片を所定の流体と共に吸引・排出する手術器具用ノズルユニットを備える手術器具用ノズルアタッチメントは、
該ノズルユニットの先端に配置され流路の内形状が基端側に向かって移植片が徐々に丸められる形状を有するガイド部と、該ガイド部の基部に接続され前記ガイド部により丸められた移植片を収納するための内径を有する収納部と、を備え、
前記ガイド部は前記収納部との接続位置から退避可能である、ことを特徴とする手術器具用ノズルユニット。
【発明の詳細な説明】
【技術分野】
【０００１】
本発明は、移植手術のための手術器具及び手術器具に取り付けられる手術器具用ノズルユニットに関する。
【背景技術】
【０００２】
近年、眼科分野の再生医療において、網膜色素上皮細胞をシート状に培養し、患者眼眼底の網膜下に移植する治療方法が提案されている（例えば、特許文献１参照）。作製されたシート状の移植片を患者眼の眼底の網膜下に移植（埋植）する手術は容易ではない。このような移植手術を行い易くするために、特許文献２に示すような手術器具が提案されている。移植片は、手術器具のノズル先端（管状の部材）から治療部位である眼底の網膜下へと押出され、網膜下に移植される。このような場合、患者眼の眼球には器具の先端を眼内に挿通させるための貫通孔（切開創）が設けられることとなる。
【先行技術文献】
【特許文献】
【０００３】
【特許文献１】特表平９−５０１３０３号公報
【特許文献２】米国特許６１５９２１８号明細書
【発明の概要】
【発明が解決しようとする課題】
【０００４】
特許文献２の器具は、移植片を所定の部材を用いて後方から押すことによって器具外へ送出させる構成となっている。しかしながら、このような器具では、移植片を押し出す際に機械的な接触が生じ、これによって移植片が損傷する可能性が高い。また、移植片の押し出し動作を好適に行うことが難しい。
【０００５】
また、患者眼に形成する貫通孔は、できるだけ小さいことが望まれる。しかしながら、大きな移植片を眼に移植しようとする場合、移殖片の大きさに伴って移殖片を排出するためのノズル径を大きくする必要がある。このようにノズル径が大きくなってしまうと眼に形成される貫通孔も大きくさせる必要があり患者に負担がかかることとなる。
【０００６】
本発明は、移植片の損傷や患者への負担を抑制しつつ大きな移植片を好適に移植できる眼科用手術器具を提供することを技術課題とする。
【課題を解決するための手段】
【０００７】
本発明は、上記課題を解決するために、以下の構成を有することを特徴とする。
（１）  手術器具は、術者が保持するハンドピースと、移植片を所定の流体と共に吸引・排出するノズルユニットであって，該ノズルユニットの先端に配置され流路の内形状が基端側に向かって移植片が徐々に丸められる形状を有するガイド部と、該ガイド部の基部に接続され前記ガイド部により丸められた移植片を収納するための内径を有する収納部と、を備えるノズルユニットと、該ノズルユニットに、吸引圧及び排出圧を付加する吸引排出ユニットと、を備え、前記ガイド部は前記収納部との接続位置から退避可能であることを特徴とする。
（２）  （１）に記載の手術器具において、前記収納部は先端から基端側に向けて細長いパイプ状の形状を持つことを特徴とする。
（３）  （２）に記載の手術器具は、前記ガイド部を前記収納部に対して軸方向に相対的にスライド移動させる退避ユニットを持つことを特徴とする。
（４）  （３）に記載の手術器具において、前記退避ユニットは、前記収納部の外側に配置される中空の筒状ガイド部材と、該筒状ガイド部材を前記収納部が延びる方向に沿ってスライドさせるスライド機構と、を備え、前記ガイド部は、前記筒状ガイド部材内に収納される程度の柔軟性を備える、ことを特徴とする。
（５）  （２）に記載の手術器具において、前記ガイド部は前記収納部の先端に着脱可能であることを特徴とする。
（６）  （２）〜（５）に記載の何れかの手術器具において、前記収納部の流路の断面形状が、弓なり形状となっている、ことを特徴とする。
（７）  （６）に記載の手術器具において、前記収納部の断面形状は、扁平形状の両端が近接するようＣ型に丸めた弓なり形状とされる、ことを特徴とする。
（８）  （２）に記載の手術器具において、前記収納部は、中空の筒部と、該筒部内の流路を制限するために、前記筒部の中心軸に沿って配置される棒状部材と、を備える、ことを特徴とする。
（９）  吸引排出ユニットを備える手術器具に取り付けられて移植片を所定の流体と共に吸引・排出する手術器具用ノズルユニットを備える手術器具用ノズルアタッチメントは、該ノズルユニットの先端に配置され流路の内形状が基端側に向かって移植片が徐々に丸められる形状を有するガイド部と、該ガイド部の基部に接続され前記ガイド部により丸められた移植片を収納するための内径を有する収納部と、を備え、前記ガイド部は前記収納部との接続位置から退避可能である、ことを特徴とする。
【発明の効果】
【０００８】
本発明によれば、移植片の損傷や患者への負担を抑制しつつ大きな移植片を好適に移植できる。
【発明を実施するための形態】
【０００９】
以下、本発明の実施の形態を図面に基づいて説明する。本発明の手術器具の一実施形態として、移植片を患者眼の網膜下に移植（埋植）する移植手術に用いる眼科用手術器具を例に挙げ、以下に説明する。なお、本実施形態の眼科用手術器具は、移植片を流体と共に吸引して器具内に保持し、網膜下に排出（送出）する器具である。
【００１０】
図１は、本実施形態である眼科用手術器具の外観斜視図である。図２は、眼科用手術器具の側面図である。
【００１１】
眼科用手術器具１００（以下、単に手術器具と略す）は、繰り返し利用可能な（リユースタイプの）ハンドピース１０と、使い捨てのシリンジ７０及びノズル８０とに大別される。ハンドピース１０は、オートクレーブ可能で、複数回利用可能な耐久性を有する素材で作製される。ハンドピース１０の各部品は、ステンレス鋼、チタン等の耐腐食性を備える金属により作製される。シリンジ７０は、医療用に流通しているディスポーザブル（ワンユーズ）タイプの注射器が好適に用いられる。ノズル（ノズルユニット）８０は、生体適合性を有する樹脂にて成形され内部が中空の筒状の部材であり、ハンドピースに着脱可能とされ、１回の使用で廃棄される。なお、図２Ａは側面図、図２Ｂは図２Ａの中心軸で切断した側面断面図、図２Ｃは、図２Ｂの状態から、プランジャ７５が前方に移動された場合の側面断面図、を示している。
【００１２】
本実施形態のシリンジ７０は、外筒７１と、プランジャ（押出棒）７５と、を備えている（図２Ｂ、図２Ｃ参照）。本実施形態のシリンジ７０は、医療用の注射器とする。外筒７１は、ノズルユニット８０を取り付けるための先端部７２を含む。外筒７１の後端部にはプランジャ７５を嵌合する開口が形成されている。外筒７１は、ハンドピース１０に着脱可能とされている。外筒７１の後端の外周には、対となるフランジ（鍔部）７４が設けられている。
【００１３】
プランジャ７５の先端には、ゴム、樹脂等の弾性部材７６が設けられ、後端には術者が指等で押圧する押圧部７７が設けられている。プランジャ７５が外筒７１に嵌合されると、外筒７１の開放部は、弾性部材７６によって密閉される。これにより、外筒７１（シリンジ７０）の空間は、流体を収納するためのタンクとして機能する。プランジャ７５は、外筒７１の長手方向（軸方向）に沿って移動可能とされる。本実施形態では、長手方向において、先端部７２を前側とする。従って、プランジャ７５は前後方向に移動する構成となる。
【００１４】
プランジャ７５が、前方に移動されると、タンク部Ｔ内の容積は減少する。一方、プランジャ７５が後方に移動されると、タンク部Ｔ内の容積は増大する。タンク部Ｔ内の容積の変更に伴って、シリンジ７０は、正圧と負圧が発生する。プランジャ７５は、タンク部Ｔの内の流体を吸引、排出する吸引排出ユニットの役割を果たす。プランジャ７５の前後方向の移動（タンク部Ｔの容積の変化）に伴って先端部７２から、タンク部Ｔ内に流体を吸引したり、タンク部Ｔ内の流体が排出される。ノズルユニット８０を介して流体が吸引、排出される。本実施形態では、タンク部Ｔには、流体としては例えば、眼科用の灌流液（生理食塩水）が入れられる。なお、流体として、粘弾性物質や眼科用に用いられる薬剤等を用いてもよい。
【００１５】
ハンドピース１０は、外筒であり術者が指で保持するためのグリップ部（持ち手部）１１と、移動ユニット３０の移動をガイドするためのガイドパイプ１２、シリンジ７０を固定（保持）するための固定部１３、シリンジ７０（の外筒７１）を収納、保持するための内筒であるパイプ部２０と、プランジャ７５を移動させるための移動ユニット３０と、移動ユニット３０を術者が操作するための操作部材（操作ユニット）である回転ノブ４０と、を備えている。なお、本実施形態では、回転ノブ４０は、移動ユニット３０の一部を構成している。
【００１６】
ガイドパイプ１２の内部には、後述する移動ユニット３０のリング３１がスライド可能に取り付けられる。また、ガイドパイプ１２は、軸方向に沿ってスリットが２箇所設けられており、このスリットを通してリング３１と後述するバー３２及びスライドバー３５が接続されている。
【００１７】
固定部１３は、ハンドピースの後端に設けられており、フランジ７４をくわえ込むガイド孔が形成されている。パイプ部２０にシリンジ７０の外筒７１が入れられると、シリンジ７０のフランジ７４が、軸方向に沿ってガイド孔に収められる。シリンジ７０が回転されると、フランジ７４がガイド孔にくわえ込まれる。これにより、フランジ７４は、ガイドによって前後方向への移動が固定される。固定部１３は、タンク部であるシリンジ７０をハンドピース１０に着脱自在に固定する着脱部材となる。
【００１８】
パイプ部２０は、ハンドピース１０（グリップ部１１〜固定部１３）を軸方向に貫通して形成されている。パイプ部２０は、外筒７１を収める内形状となっている。パイプ部２０の先端には、シリンジ７０の先端部７２を挿通する（露出させるための）開口２１が設けられている。開口２１の径は、外筒７１の径よりも小さく、先端部７２より大きい径となっている。開口２１は、シリンジ７０が前方へと抜け出ないようにする役割を持っている。固定部１３の後端には、開口２２が形成されている。外筒７１は、開口２２から出し入れされる。
【００１９】
移動ユニット３０は、大別して、プランジャ７５の押圧部７７を保持するホルダ３０Ａと、術者が操作を行うための回転部材である回転ノブ４０と、回転ノブ４０によってホルダ３０Ａを移動させるスライダ３０Ｂ、を備えている。ホルダ３０Ａとスライダ３０Ｂは、リング３１を共用する。移動ユニット３０は、ガイドパイプ１２内に移動可能に置かれるリング３１を基部として、後方にホルダ３０Ａが設けられ、前方にスライダ３０Ｂが設けられる。ホルダ３０Ａは、リング３１に取り付けられたピン３１ａによって軸回転可能に保持されたバー３２と、バー３２の後端に設けられたプレート３３と、押圧部７７を固定保持するための回転ピン３４と、を備えている。
【００２０】
バー３２は、図２に示されるように、プランジャ７５と平行な方向（軸方向）に位置する状態から、ピン３１ａ部分を回転中心としてハンドピースの上下方向に回動する。プレート３３には雌ネジが形成されており、回転ピン３４には雄ネジが形成されている。回転ピン３４は、プレート３３に螺合される。回転ピン３４の軸回転によって、回転ピン３４全体が前後方向に移動する。プレート３３と回転ピン３４の間に、押圧部７７が置かれた状態で、回転ピン３４が回転されて前方に進むと、押圧部７７は、プレート３３と回転ピン３４によって挟まれる。これにより、プランジャ７５がホルダ３０Ａに固定保持される。プランジャ７５を取り外す場合には、回転ピン３４を回転させて後方に移動させた後、プレート３３とバー３２を下方向に回転させる。また、フランジ７４の固定を解除させた上でパイプ部２０から引き抜く。
【００２１】
スライダ３０Ｂは、リング３１を含み、リング３１にネジ３１ｂによってネジ止めされた直線形状のスライドバー３５と、スライドバー３５の先端に設けられ、回転ノブ４０を回転可能に保持するフック３６と、を備えている。また、グリップ部１１の上部には、回転ノブ４０（スライドバー３５）の移動をガイドするためのガイドレール１５と、回転ノブ４０の両側面を支える対向した壁部（側壁）１６、が形成されている。ガイドレール１５及び壁部１６は、前後方向（軸方向）に直線状に形成される。
【００２２】
フック３６は、スライドバー３５の先端に設けられており、後述する回転ノブ４０のシャフト４１に引っ掛けられ回転ノブ４０を回転可能としつつ、回転ノブ４０の回転によってスライドバーを軸方向に移動させる役目を果たす。
【００２３】
図３は、回転ノブの構成を説明する図である。回転ノブ４０は、シャフト４１と、シャフト４１の両側に設けられたシャフト４１よりも大きな径を持つ円盤部４２と、シャフト４１から円盤部４２の外周に向かって形成された傾斜部４３、を備えている。なお、回転ノブ４０は一体の部材とされる。傾斜部４３は、シャフト４１から円盤部４２の外周方向に向かって円盤部４２の厚みが減少する形状（テーパ形状）となるように形成される。傾斜部４３が、ガイドレール１５の角部に接触し、シャフト４１がガイドレール１５の上面に接触しないように、シャフト４１の幅（シャフト４１の軸方向の長さ）が設計されている。このため、回転ノブ４０は、ガイドレール１５に対して傾斜部４３にて接触することとなる。
【００２４】
回転ノブ４０は、円盤部４２の回転によってガイドレール１５及び壁部１６に沿って前後方向に移動する。回転ノブ４０の前後方向の移動に伴って、スライダ３０Ｂ（フック３６、スライドバー３５、リング３１）とホルダ３０Ａ（リング３１、バー３２、プレート３３、回転ピン３４）が一体的に移動する。これにより、プランジャ７５が前後方向に移動される。このとき、外筒７１は、固定部１３により固定保持されているため、プランジャ７５は、外筒７１に対して相対的に前後方向に移動されることとなる。
【００２５】
回転ノブ４０の移動量は、回転ノブ４０（円盤部４２）の回転に比例する。本実施形態では回転ノブ４０の最外径となる円盤部４２の径よりも小さな径となる回転ノブ４０の所定部分（傾斜部４３）にガイドレール１５を接触させる構成としているため、回転ノブ４０の回転と、回転ノブ４０の前後方向の移動との関係において、円盤部４２の回転に対して実際の回転ノブ４０の移動量が縮小する構成となっている。図３において、シャフト４１の回転軸Ａを基準として、円盤部４２の周縁までの距離をＲ１（回転ノブ４０の最外径の半径に相当する）とし、回転軸Ａとガイドレール１５までの距離をＲ２とする。このときの円盤部４２の回転による回転ノブ４０の前後方向の移動量は、円盤部４２が所定の平面上を回転する際の移動量比べて、距離Ｒ１と距離Ｒ２の比だけ減少する（Ｒ２／Ｒ１となる）。
【００２６】
このようにして、回転ノブ４０（円盤部４２）の回転に対する直線的な移動量（回転ノブ４０の転がり量）は、縮小されてスライダ３０Ｂ、ホルダ３０Ａ、プランジャ７５へと伝達される。このような機構により、タンク部Ｔ内の流体の操作の微調整が行い易くなり、ノズル８０を介した流体、移植片の吸引、排出の操作性が向上する。
【００２７】
図２Ｂと図２Ｃに示されるように、回転ノブ４０は高さ位置を変えることなく、回転によって前方に移動する。このとき、フック３６、スライドバー３５等と一体となった部材が、回転ノブ４０のシャフト４１の移動に伴って前方へと移動する。プランジャ７５は前方へ移動し、タンク部Ｔの容積を減少させる。このとき、タンク部Ｔ内の流体は、外側へと排出されることとなる。なお、回転ノブ４０の回転方向が後方であれば、前述の動作と逆になり、タンク部Ｔ内には流体が吸引（流入）される。
【００２８】
次に、シリンジ７０に取り付けられるノズルユニット８０について説明する。図４は、ノズルユニット８０周辺の上面断面図（ノズルユニット８０の軸に沿った水平面での断面図）である。図５は、ノズルユニット８０の先端部の側面断面図である。図６は、ノズルユニット８０の流路の構造を説明する図であり、図５に示す切断面（ノズルユニット８０の軸に直交する面）での断面図である。
【００２９】
ノズルユニット８０は、所定の流体と共に移植片（細胞シート）を吸引、排出するチューブユニット９０と、チューブユニット９０の外側に保持される外筒ユニット８５と、を備えている。チューブユニット９０は、先端部７２にノズルユニット８０を固定するための基部９１、軸方向の沿って直線的に延びた管部９２、管部９２の先端部分であって移植片を丸めた状態で収納（保持）する収納部（保持部）９３、収納部９３内に設けられた棒状部材である軸芯９４、吸引時に移植片を丸めるガイド形状を持ち収納部９３の先端に配置されたガイド部９５、を備える。外筒ユニット８５は、基部９１の外側に嵌る外筒基部８６、管部９２を収める中空のパイプ形状であり外筒基部８６から軸方向に沿って延びた外筒８７、を備えている。
【００３０】
基部９１は、先端部７２と嵌合する内形状（内筒）を持つ。これにより、ノズルユニット８０が先端部７２に着脱自在となる。基部９１の外周には、ネジ山（図示を略す）が形成されている。外筒基部８６の内側にはネジ山が形成されている。外筒基部８６は、基部９１に螺合されて保持される。管部９２及び収納部９３は、径が一定の円筒形状である。収納部９３は、移植片を丸めた状態（弓なり形状の状態）収納できるように、軸芯９４が配置される。軸芯９４は、円筒状であり、収納部９３（管部９２）の内壁（管壁）と繋がった仕切り部材９４ａによって軸芯９４は、収納部９３の中心軸に配置される。収納部９３は、円状に中空な管部９２と異なり、軸芯９４により中央部の流路が制限される（図６Ｃ参照）。軸芯９４により、流路が管部９２（収納部９３）の壁面付近となる。このため、移植片は、軸芯９４により、丸められた状態（弓なりとなった状態）を維持されることとなる。従って、軸芯８４は、移植片の形状をガイドする役割を持つ。移植片は、収納部９３の壁面に沿って丸められた形状となって収納される。このため、移植片の幅（軸方向に直交する方向の幅）に対して、移植片を小さい径とできる。また、移植片同士がくっつきにくくなり、吸引、排出作業がしやすくなる。例えば、移植片の幅を３ｍｍ程度とすると、収納部９３の径（内径）は、直径１ｍｍ程度とできる。よって、本実施形態では、後述する外筒８７（患者眼に挿入するノズルユニット８０）の径を２ｍｍ程度とする。
【００３１】
また、軸芯９４により流路が制限されることで、管部９２のように中央に制限がない場合と比べて、管内乱流の発生が抑制される。これにより、移植片の吸引、排出動作において、乱流により移植片が軸芯９４、収納部９３の壁面に接触してしまう、移植片が意図しない方向に流れてしまう、等が発生しにくなる。また、仕切り部材９４ａにより、流路が仕切られることにより、移植片が収納部９３内で回転（軸中心の回転）が抑制される。軸芯９４の長さ（軸方向に沿った長さ）は、移植片の全長（軸方向ｋに沿った長さ）より長いことが好ましい。本実施形態では、軸芯９４の長さは、移植片の全長を３ｍｍとすると、３ｍｍの３倍以上の１０ｍｍ程度とする
また、軸芯９４の先端部は、移植片が引っ掛かりにくいようような形状とされており、ここでは、半球状とされている。
【００３２】
ガイド部９５は、移植片の幅方向に広がった開口（スリット開口）を持ち、収納部９３に向かって、移植片を徐々に丸めるガイド形状を備えている。ガイド部９５の開口付近の流路の断面は、図６Ａに示すように、移植片の形状に合わせて扁平形状となっている。流路の断面形状は、図６Ｂに示すように、徐々に丸まりながら流路の両端が近づく形状に変化している。ガイド部９５の流路の断面形状は、図６Ｃに示す収納部９３の断面形状に近づいていく。なお、ガイド部９５を上方（幅方向と軸方向に直交する方向）から見ると、収納部９３に向かって漏斗（ろうと）形状となっている（テーパ状となっている）。また、ガイド部９５を側面から見ると、収納部９３に向かって徐々に厚みが増す逆漏斗形状となっている（逆テーパ状となっている）。
【００３３】
ガイド部９５の流路の断面積は、移植片を丸める際に移植片に負荷がかかりにくいように、一定とされることが好ましい。
【００３４】
ガイド部９５は、シート状の移植片を丸まった形状へと変化させるガイド（部）の役割を持ち、本実施形態では、移植片の形状を徐々に移行させる移行部としての役割を持つ。
【００３５】
なお、詳細は後述するが、ガイド部９５は、外筒８７の前進によって変形し、外筒８７内に退避する程度の柔軟性を備えている。また、外筒８７内から外に露出したガイド部９５が元の形状に戻る弾性（復元力）を有することが好ましい。また、ガイド部９５は、移植片の吸引動作において、形状が変形し難い程度の剛性を持つことが好ましい。
【００３６】
外筒８７は、軸方向に沿って直線的に延び、後端部を外筒基部８６に固定されている。外筒８７の内径は、収納部９２及び管部９２を収める径となっている。外筒８７は、収納部９３の外径より若干大きい程度の内径とされることが好ましい。外筒８７は、できるだけ小さい外径となるように形成される。外筒８７の外径は、ガイド部９５の開口の幅よりも小さい径とされる。本実施形態では、外筒８７の内径は、ガイド部９５の径よりも小さく、外筒８７の外径は、収納部９３に対して若干大きい程度で形成される。外筒基部８６は、前述のように、基部９１に螺合する。このため、外筒基部８６が回転されると、外筒ユニット８５全体が、軸方向に沿って前方（ガイド部９５側）へ移動する。従って、外筒ユニット８５の回転動作により、外筒ユニット８５の軸方向の直動に変換される。外筒８７は、収納部９３に対して相対的にスライド移動する。
【００３７】
外筒８７の長さは、外筒８７を患者眼の眼内に挿入した場合に、外筒８７の先端が眼底の網膜下に到達する長さとされる。また、基部９１からガイド部９５、収納部９３までの長さも外筒８７と同様な長さを持つ。
【００３８】
ガイド部９５、収納部９３、外筒８７の先端（収納部９３に対応する箇所）は、透光性を有することが好ましい。これにより、移植片の吸引作業、排出作業において、移植片の位置、振る舞いが術者に視認し易くなる。
【００３９】
チューブユニット９０及び外筒ユニット８５は、生体適合性を有する素材で形成される。本実施形態のチューブユニット９０は一体的に形成される。チューブユニット９０は、透光性を有する素材（又は、透明な素材）で、かつ、生体適合性を有する素材で形成される。チューブユニット９０は、エチレン・テトラ・フルオロ・エチレン、ポリプロピレン、等の生体適合性を有する樹脂等の素材により形成される。このとき、ガイド部９５に柔軟性を持たせるために、ガイド部９５は収納部９３等と比べて厚みを薄く形成する（薄肉とされる）。さらに好ましくは、チューブユニット９０は、柔軟性、弾性を備える素材で形成される。例えば、シリコーン等の生体適合性、透光性、柔軟性、弾性を有する素材を用いる。
【００４０】
また、本実施形態の外筒ユニット８５は、一体的に形成される。外筒ユニット８５は、生体適合性、透光性を有すると共に、ガイド部９５を外筒８７内に収めることができる程度の剛性を有する素材で形成されることが好ましい。外筒ユニット８５は、例えば、エチレン・テトラ・フルオロ・エチレン、ポリプロピレン、等の樹脂素材により形成される。なお、外筒ユニット８５は、ステンレス鋼、貴金属等の生体適合性を有する金属で形成されてもよい。なお、ガイド部９５は、収納部９３に接着、溶着等される構成であってもよい。
【００４１】
次に、外筒ユニット８５の移動と、ガイド部９５の退避について説明する。図７は、ノズルユニット８０の先端箇所の水平断面図である。図７Ａは、ガイド部９５の退避前状態を示し、図７Ｂは、ガイド部９５の退避後状態を示した図である。ノズルユニット８０内に吸引する前の移植片をＩａ、吸引後（収納後）の移植片をＩｂとする。以下に、図４と図７を参照しながら説明する。
【００４２】
図７Ａに示す状態では、外筒基部８６は、基部９１の後端まで螺合しているものとする。図では、外筒８７の先端は、ガイド部９５の後端（ガイド部９５と収納部９３の境界部分）に位置している。この状態では、ガイド部９５は、外力を受けず、形成した状態を維持している。
【００４３】
図７Ａの状態において、ノズルユニット８０に吸引圧が付加されると、移植片Ｉａはガイド部９５から流体と共に吸引される。移植片Ｉａは、ガイド部９５の内形状（ガイド形状）により丸められ、収納部９３へと移動されて行く。収納部３３に到った移植片Ｉｂは、丸められた状態とされる。このとき、移植片Ｉｂは、軸芯９４によってガイドされ、収納部９３の内壁に沿った形状とされる。
【００４４】
移植片Ｉｂが収納部９３に収納された状態で、外筒基部８６が一方向に回転されると、外筒８７（外筒ユニット８５）が前進する。チューブユニット９０は、先端部７２に対して固定されているため、相対的に外筒８７が前方へと移動する。このとき、ガイド部９５は外筒８７の力を受け（後方から押され）変形される。ガイド部９５は、内側（中心軸側）に折り畳まれていく。さらに、外筒８７が前進すると、ガイド部９５は、外筒８７の内部に収納（退避）される。このとき、外筒８７は、ガイド部９５の全長以上前進している（図７Ｂ参照）。
【００４５】
このようにして、ガイド部９５は退避される。これにより、ノズルユニット８０の幅が、ガイド部９５の幅分広くても、外筒８７の外径まで小さくできる。退避動作では、ガイド部９５が変形するため、収納部９２に収納された移植片Ｉｂに機械的な影響を与え難い。ノズルユニット８０において、外筒ユニット８５は、チューブユニット９０を覆うカバーの役割を持つ。また、チューブユニット９０と外筒ユニット８５は、ガイド部９５を退避させる退避ユニット（退避機構）となる。なお、外筒ユニット８５を逆回転すると、ガイド部９５が外筒８７から外部へと出る。
【００４６】
なお、以上の説明では、外筒ユニット８５を直動（スライド移動）させる構成としたが、これに限るものではない。収納部９３に対して外筒８７が相対的に移動し、ガイド部９５が退避する構成であればよい。チューブユニット９０がスライド移動する構成であってもよい。
【００４７】
以上のような構成を備える手術器具１００の動作を説明する。図８は、移植作業を説明する図である。本実施形態の移植片は、予め患者から採取した組織を網膜色素上皮細胞へと分化させ、網膜色素上皮細胞を培養したシート状の細胞シートを移植片とする。移植片は、小片（例えば、３×３ｍｍの短冊状）にカットされ、手術器具１００を用いて患者眼眼底の網膜下に移植（埋植）される。
【００４８】
術者（又は補助者）は、シリンジ７０にノズルユニット８０を取り付け、パイプ部２０に挿入する。このとき、ガイド部９５は、外筒８７の外側に出た状態となっている。開口２１まで差し込まれたシリンジ７０が回転されると、フランジ７４が固定部１３に固定（ロック）される。術者は、バー３２を回転させて、押圧部７７をプレート３３と回転ピン３４との間に配置する。回転ピン３４が回転されると、プレート３３と回転ピン３４に押圧部７７が挟持される。術者は、グリップ部１１を持ち、回転ノブ４０を前方に回転させて、プランジャ７５を出来るだけ前方に移動させる。そして、外筒８７の外側に出ているガイド部９５を灌流液に入れ、回転ノブ４０を後方に回転させてプランジャ７５を後方に移動させ、タンク部Ｔに灌流液を満たす。術者は、手術器具１００を立ててノズル８０、タンク部Ｔに入った空気を抜く作業を行う。これにより、手術器具１００は、使用可能な状態となる（図２Ｂの状態）。
【００４９】
術者は、予め小片に加工された移植片を、手術器具１００内に吸引する。術者は、シャーレ等に置かれた移植片付近にガイド部９５を置き、回転ノブ４０を後方に回転させて灌流液をノズルユニット８０を介してタンク部Ｔに吸引する。このとき、ガイド部９５に移植片が吸い込まれる。ガイド部９５の開口付近の断面形状が扁平であるため、細胞シートは反転することなく、ガイド部９５に入る。移植片は、ガイド部９５のガイド形状により丸められていく。そして、丸められた移植片は収納部９３内へと到る。移植片が収納部９３に収納されたことを確認した後、術者は外筒ユニット８５を回転し、ガイド部９５を外筒８７内へと退避させる。
【００５０】
移植手術では、患者眼の前眼部の強膜に貫通孔を形成し、この孔から鑷子等が眼内に挿入され、手術が行われる。図８Ａに示すように、患者眼の眼底の網膜下、すなわち、網膜（感覚網膜）Ｒｅと、網膜以外の眼底組織Ｆとの間には、ドーム状の空間Ｄが形成される。空間Ｄは、網膜Ｒｅの一部を切開して形成した切開創Ｃ１から灌流液等が注入されることで形成される。なお、切開創Ｃ１とは異なる切開創Ｃ２が形成される。切開創Ｃ１と切開創Ｃ２は対向するように形成される。灌流液等が、切開創Ｃ１から空間Ｄ内に注入されても、一部が切開創Ｃ２から流出される。これにより、網膜Ｒｅ等に灌流液に加わる圧力等の負担を減少させることができる。次に術者は、ドーム内の不要な新生血管、色素上皮細胞等を抜去する。
【００５１】
術者は、ガイド部９５が退避した状態の外筒８７を、貫通孔から眼内へと挿入する。術者は、外筒ユニット８５を逆回転させ、外筒８７からガイド部９５を外側へと出す。その後、術者は、図８Ｂに示すように、空間Ｄにガイド部９５を挿入する。このとき、移植片Ｉを収納した収納部９３も挿入する。術者は、図８Ｃに示すように、移植片Ｉを排出する。術者は、回転ノブ４０を前方に回転させて、移植片Ｉを収納部９３から押し出す。このとき、移植片Ｉはガイド部９５のガイド形状によって徐々に広げられて（開かれた）空間Ｄ内に排出される。ガイド部９５にガイドされることによって、移植片Ｉが反転しにくくい。また、移植片Ｉが、ガイド部９５の開口の位置に排出されるため、移植片Ｉで浮きがったりしにくい。また、柔軟性のあるガイド部９５を移植片Ｉに接触させることによって、移植片Ｉの位置を微調整できる。術者は、移植片Ｉを移植位置に置き、ガイドユニット８０を眼内から引き抜き、空間Ｄ内の灌流液を吸引除去し、網膜Ｒｅを元の状態に戻す。このようにして、移植片Ｉが患者眼に移植される。なお、切開創Ｃ１から外筒８７を挿入する場合に、予めガイド部９５を退避させた状態とし、空間Ｄ内でガイド部９５を外筒８７の外側に出す手順としてもよい。また、外筒８７を空間Ｄから引き抜く場合に、前述と逆の手順を行ってもよい。このような場合、切開創Ｃ１をできるだけ小さくできる。
【００５２】
以上のようにして、移植片Ｉを流体を利用して移動させる、すなわち、ノズルユニット８０内に吸引し、ノズルユニット８０から排出する、ことにより、移植片の損傷を抑制できる。移植片の吸引時には、移植片をガイド部９５で丸め、収納部９３に収納することで移植片の径を小さくできる。さらに、ガイド部９５を退避させることにより、ノズルユニット８０をできるだけ小さい径（ここでは、外筒８７の径）で眼内に挿入できる。これにより、患者眼に形成する貫通孔の径を、移植片のサイズに対して小さくできる。また、眼内で移植片を排出する際に、ガイド部９５を外筒８７の外側に出すことによって、移植片の拡がりをガイドできる。
【００５３】
なお、以上説明した本実施形態では、ガイド部を外筒内に退避する、言い換えると、収納する構成としたが、これに限るものではない。ノズルユニット内に移植片を吸引し、丸めた（径を小さくした）状態で収納できる構成であればよい。例えば、ガイド部が、収納部（ノズルユニット）に対して着脱される構成であってもよい。以下、変容例であるノズルユニット１８０を例に挙げて説明する。
【００５４】
図９は、変容例のノズルユニット１８０の構成を説明する図であり、ノズルユニット１８０の先端箇所の水平断面図である。図９Ａは、ガイド部１９５が装着された状態を示し、図９Ｂは、ガイド部１９５が取り外された状態を示している。
【００５５】
ノズルユニット１８０は、先端部７２にノズルユニット１８０を固定するための基部１９１、基部から先端に向かって直店的に延びた管部１９２、移植片を収納する収納部１９３、収納部１９３内に配置される軸芯（図示を略す）、収納部１９３の先端側に配置されたガイド部１９５、を備えている。基部１９１、管部１９２、収納部１９３、軸芯の構成と役割は前述の実施形態と同様である。ガイド部１９５は、収納部１９３を収める中空の筒であるキャップ１９５ｃ、吸引時に移植片を丸める内形状（ガイド形状）を持つガイド１９５ｇ、ガイド１９５ｇと収納部１９３を滑らかに接続するための接続部１９５ｔ、を備えている。キャップ１９５ｃは、収納部１９３（管部１９２）の外径より若干大きい程度の内径を持つ筒部材である。キャップ１９５ｃは、収納部１９３を収めた後にぶれにくよう、収納部を覆う程度の長さ（軸方向の長さ）を持っている。ガイド１９５ｇは、前述と同様の形状、すなわち、吸引される移植片を丸めるための内形状（ガイド形状）を有している。ガイド部１９５は、移植片を収納部１９３に収納した後に取り外されるため、必ずしも柔軟性を有する必要はない。接続部１９５ｔは、ガイド１９５ｇの内形状から滑らかに繋がってキャップ１９５ｃ内に形成される。接続部１９５ｔの後端部は、収納部１９３の先端と接続するように、キャップ１９５ｃの内壁で円周状（軸方向に直交する方向）に配置される。接続部１９５ｔは、収納部１９３の先端部と滑らかに接続するように、接続部１９５ｔの厚み（内径）は収納部１９３の厚み（内径）と同じとされる。これにより、ガイド部１９５が収納部１９３と接続された状態で、移植片を吸引しても接続部１９５ｔ付近で灌流液等の乱流が起こりにくくなる。また、接続部１９５ｔ付近で移植片が引っ掛かりにくくなる。ここで、キャップ１９５ｃは、ガイド部１９５を着脱可能とする着脱ユニット（嵌合ユニット）である。また、キャップ１９５ｃは、ガイド部１９５を退避させる（退避可能とする）退避ユニットとしての役割を持つ。また、キャップ１９５ｃは、収納部１９３に対してガイド部１９５を回転可能に収納部１９５に保持させる役割を持つ。
【００５６】
ノズルユニット１８０を用いて移植片を吸引する場合、ガイド部１９５を収納部１９３（ノズルユニット１８０）に装着する。ガイド部１９５を介して移植片を吸引することにより、移植片は丸められた状態で収納部１９３に収納される。そして、ガイド部１９５が取り外されると、収納部１９３の外径にて、ノズルユニット１８０を眼内に挿入可能となる。眼内に挿入された状態で、収納部１９３に排出圧が付加されると、移植片は収納部１９３から押し出される。このとき、移植片は、ガイド部１９５のガイド形状がなくても好適に広がることは期待できる。
【００５７】
このようにして、ノズルユニット１８０を用いた移植片の吸引、排出ができる。また、移植片のサイズに対して小さい径の貫通孔で移植片の挿入ができ、患者への負担を軽減できる。
【００５８】
なお、以上の説明では、ガイド部をノズルユニットから着脱する構成としたが、これに限るものではない。ノズルユニット内に移植片を収納する際に、ガイド部があればよい。例えば、ガイド部を介して収納部に移植片を収納した後に、ガイド部を切除などして取り除く（退避させる）構成としてもよい。
【００５９】
なお、以上の説明では、軸芯は、円筒状としたが、流路を制限する棒状部材であればよい。軸芯の断面形状は、流路の乱流を抑制して、移植片を丸めた状態とできればよく、円に限らず他の図形であってもよい。
また、以上の説明では、軸芯は、収納部内に配置される構成としたが、これに限らない。移植片が収納される箇所に亘って軸芯が配置される構成であることが好ましい。軸芯は管部から配置されててもよい。また、以上の説明では、軸芯を仕切り部によって収納部の中心軸に配置させる構成としたが、これに限るものではない。軸芯は基部の内部に基端を設け、基部から収納部に向かって直線的に延びるように形成してもよい。また、以上の説明では、収納部の中心軸に軸芯を配置する構成としたが、軸芯は配置されることが好ましく、必ずしも必要ではない。なお、収納部（管部）に軸芯を設けない円筒状部材とし束愛、次のような構成としてもよい。収納部、管部を、市販の注射針、眼科手術用の吸引ノズル、とする。収納部の先端に、前述のガイド部１９５を取り付ける構成とする。このような場合、ガイド部１９５を、移植片を丸めるためのユニット（ガイドユニット）として利用し、他の部材には従来の構成を用いることができる。
【００６０】
なお、以上の説明では、収納部を円筒としたが、これに限るものではない。移植片を丸めた状態で収納できる構成であればよい。収納部は、例えば、流路の断面形状が扁平な筒状（板状）部材の両端を近接するようＣ型あるいは弓なり形状、Ｃ字形状に丸めることによって形成した部材としてもよい。また、さらに筒状部材の両端が重なる（一端が他端の内側に入る）ように筒状部材を丸める構成としてもよい。このような構成により、移植片の幅に対してノズルユニット等の直径を小さくできる。
【００６１】
なお、以上の説明では、吸引排出ユニットとして、シリンジ７０とハンドピース１０を用いる構成としたが、これに限るものではない。ノズルユニット８０を介して移植片を吸引、排出できる構成、言い換えると、ノズルユニット８０に吸引圧、排出圧を付加できる構成であればよい。例えば、吸引ポンプ、排出ポンプ等を用いた吸引排出ユニットを用いてもよい。
【００６２】
なお、第１の実施形態の説明では、外筒ユニットの外筒（筒状ガイド部材内）は、円筒状としたが、これに限るものではない。外筒の内側（内部）に、ガイド部を収納（退避）できる構成であればよい。例えば、収納部の周辺は円筒であり、円筒から外筒基部までの間は、棒状部材（ワイヤ等）とする構成としてもよい。また、外筒は、網を筒状にした部材であってもよい。
【００６３】
なお、以上の説明では、移植片として、網膜色素細胞の細胞シートを用いたが、これに限るものではなない。眼底の組織であればよい。例えば、網膜細胞をシート状にしたものであってもよい。
【００６４】
なお、以上の説明では、移植片は、患者から採取した組織を分化させたものとしたが、これに限るものではない。移植片として生体組織が用いられればよく、別の生体から得た細胞、組織等を移植片としてもよい。また、移植片に限らず、液体、固体、ゲル状の薬剤を眼底等の組織に埋植する構成としてもよい。例えば、本器具を、治療効果のある物質を放出するシート、等を移植片として眼内に移植（埋植、留置）する手術に用いてもよい。
【００６５】
なお、以上の説明では、手術器具を眼科手術に用いる構成としたが、これに限るものではない。移植片を生体の体内に移植（埋植）する構成であればよい。本器具を、眼球ではない組織への移植手術等に用いてもよい。
【００６６】
以上のように本発明は実施形態に限られず、種々の変容が可能であり、本発明はこのような変容も技術思想を同一にする範囲において含むものである。
【図面の簡単な説明】
【００６７】
【図１】本実施形態の眼科用手術器具の外観斜視図である。
【図２Ａ】眼科用手術器具の側面図である。
【図２Ｂ】眼科用手術器具の側面断面図である。
【図２Ｃ】図２Ｂの状態からプランジャが移動した移動眼科用手術器具の側面断面図である。
【図３】眼科用手術器具の回転ノブ付近の断面図である。
【図４】ノズルユニット周辺の上面断面図である。
【図５】ノズルユニットの先端部の側面断面図である。
【図６Ａ】図５のＡＡ断面図である。
【図６Ｂ】図５のＢＢ断面図である。
【図６Ｃ】図５のＣＣ断面図である。
【図７Ａ】ガイド部の退避前の状態を示す図である。
【図７Ｂ】ガイド部の退避後の状態を示す図である。
【図８Ａ】網膜下に空間を形成した状態を示す図である。
【図８Ｂ】網膜下にノズルユニットを挿入した状態を示す図である。
【図８Ｃ】網膜下に移植片を排出した場外を示す図である。
【図９Ａ】ガイド部を装着した状態の変容例のノズルユニットを示す図である。
【図９Ｂ】ガイド部を取り外した状態の変容例のノズルユニットを示す図である。
【符号の説明】
【００６８】
１０  ハンドピース
３０  移動ユニット
３０Ａ  ホルダ
３０Ｂ  スライダ
４０  回転ノブ
７０  シリンジ
８０  ノズルユニット
８５  外筒ユニット
９０  チューブユニット
９３  収納部
９５  ガイド部
１００  眼科用手術器具
Ｉ、Ｉａ、Ｉｂ  移植片
Ｒｅ  網膜
【図１】
2013180004.tif 000003
【図２Ａ】
2013180004.tif 000004
【図２Ｂ】
2013180004.tif 000005
【図２Ｃ】
2013180004.tif 000006
【図３】
2013180004.tif 000007
【図４】
2013180004.tif 000008
【図５】
2013180004.tif 000009
【図６Ａ】
2013180004.tif 000010
【図６Ｂ】
2013180004.tif 000011
【図６Ｃ】
2013180004.tif 000012
【図７Ａ】
2013180004.tif 000013
【図７Ｂ】
2013180004.tif 000014
【図８Ａ】
2013180004.tif 000015
【図８Ｂ】
2013180004.tif 000016
【図８Ｃ】
2013180004.tif 000017
【図９Ａ】
2013180004.tif 000018
【図９Ｂ】
2013180004.tif 000019